(57)【要約】【課題】足場板の表面だけでなく、裏面も汚れないようにするとともに、取り付け作業を簡単にする。【解決手段】足場板カバー４０は、足場板１０を相反する２方向側から覆う、一対のポリエステル製の被覆部４１，５１を備えている。該一対の被覆部４１，５１の外周部には、該外周部からそれぞれ外方に突出する、該外周部の内側部分よりも厚さが大きく剛性が高い一対のフランジ４６，５６が形成されている。そして、一方のフランジ４６に、複数の嵌合孔４７からなる被係合部が形成され、他方のフランジ５６に、複数の嵌合突起５７からなる係合部が形成されている。【選択図】図４
2010275774.tif 000002
【特許請求の範囲】
【請求項１】
足場を構成する足場板、支柱又は筋交を相反する２方向側から覆う一対の樹脂製の被覆部を備え、
該一対の被覆部の外周部には、該外周部からそれぞれ外方に突出する、該外周部の内側部分よりも厚さが大きい一対の樹脂製のフランジが形成され、
該一対のフランジに、互いに係合し合う係合部と被係合部とが形成された足場カバー。
【請求項２】
前記樹脂は、ポリエステルである請求項１記載の足場カバー。
【請求項３】
前記係合部は、一方のフランジに前記外周部の長さ方向に間隔をおいて凸設された複数の嵌合突起からなり、
前記被係合部は、他方のフランジに前記外周部の長さ方向に間隔をおいて貫設された、前記複数の嵌合突起に嵌合する複数の嵌合孔からなる請求項１記載の足場カバー。
【請求項４】
請求項１〜３のいずれか一項に記載の足場カバーが取り付けられた足場。
【発明の詳細な説明】
【技術分野】
【０００１】
本発明は、建築現場等で使用する足場に関する。
【背景技術】
【０００２】
足場は、建築会社や塗装会社等の使用者が、自身で所有することもあるが、自身では所有せず、必要に応じてレンタル会社からレンタルするのが最も一般的である。
【０００３】
よって、使用者が、レンタルした足場を汚した場合には、その汚れをきれいに落としてから返却するのが原則となるが、中には、例えば、塗装工事の際に該足場を塗料で汚した場合等、使用者では該汚れを落としきれない場合もあり、その場合には、使用者は、該足場を汚れたままの状態で返却し、レンタル会社がその汚れを落とし、その清掃費用を使用者に請求する。
【０００４】
しかし、場合によっては、その清掃費用がかなり高額になってしまい、その清掃費用を差し引くと使用者の現場作業による収益がほとんど上がらないという問題が発生することさえある。
【０００５】
また、足場を汚さないための技術としては、特許文献１，２に、足場板を柔軟なシート状のカバーで覆う技術が開示されている。そのカバーは、足場板の踏み面を覆う平坦部と、側面を覆う垂れ壁部とからなる。そして、一方の長辺側の垂れ壁部に複数本の連結具を設け、該連結具を裏面側を通して対向する長辺側の垂れ壁部に結合することによって、該カバーを足場板に取り付ける。
【先行技術文献】
【特許文献】
【０００６】
【特許文献１】特開平６−３４６５９３号公報
【特許文献２】特開平７−２６７３４号公報
【発明の開示】
【発明が解決しようとする課題】
【０００７】
ところが、上記特許文献１，２のカバーでは、足場板の表面しか覆うことができず裏面を覆うことができない。そのため、塗料を吹き付ける場合等には、該裏面が汚れてしまうおそれがある。
【０００８】
また、該カバーは柔軟なシート状であるため、取り付ける際には、一枚一枚、延ばしてから取り付けなければならず、取り付け作業が大変である。また、取り付ける際には、一方の長辺側の垂れ壁部に設けられた複数本の連結具全てを、対向する長辺側の垂れ壁部に結合しなければならず、この点でも、取り付け作業が大変である。
【０００９】
そこで、表面だけでなく、裏面も汚れないようにするとともに、取り付け作業を簡単にすることを目的とする。
【課題を解決するための手段】
【００１０】
上記目的を達成するため、本発明の足場カバーは、足場を構成する足場板、支柱又は筋交を相反する２方向側から覆う一対の樹脂製の被覆部を備え、該一対の被覆部の外周部には、該外周部からそれぞれ外方に突出する、該外周部の内側部分よりも厚さが大きい一対の樹脂製のフランジが形成され、該一対のフランジに、互いに係合し合う係合部と被係合部とが形成されている。
【００１１】
ここで、前記樹脂は、ポリエステル、ポリエチレン、ポリプロピレン、ポリスチレン、ポリ塩化ビニル、ポリウレタン、アクリル等が例として挙げられるが、それらの中でも、ポリエステルであることが好ましい。耐久性が良いからである。
【００１２】
また、各フランジの厚さは、特に限定されないが、０．０４〜０．４ｍｍであることが好ましく、０．０６〜０．３ｍｍであることがより好ましく、０．１〜０．２ｍｍであることが最も好ましい。また、前記内側部分の厚さは、特に限定されないが、０．０２〜０．２ｍｍであることが好ましく、０．０３〜０．１５ｍｍであることがより好ましく、０．０５〜０．０８ｍｍであることが最も好ましい。
【００１３】
また、前記係合部及び前記被係合部は、特に限定されないが、次の［ｉ］［ii］の組合せが例として挙げられる。
［ｉ］前記係合部は、一方のフランジに前記外周部の長さ方向に間隔をおいて凸設された複数の嵌合突起からなり、前記被係合部は、他方のフランジに前記外周部の長さ方向に間隔をおいて貫設された、前記複数の嵌合突起に嵌合する複数の嵌合孔からなる場合。
［ii］前記係合部は、一方のフランジに凸設された前記外周部の長さ方向に延びる突条からなり、前記被係合部は、他方のフランジに凹設された前記外周部の長さ方向に延びる、前記突状に嵌合する溝部からなる場合。
【００１４】
また、同目的を達成するため、本発明の足場には、前記足場カバーが取り付けられている。
【発明の効果】
【００１５】
本発明によれば、一対の被覆部で、足場板、支柱又は筋交を相反する２方向側から覆うので、片面だけでなく両面を覆うことができ、よって、両面とも汚れる心配がない。
【００１６】
また、その被覆部は樹脂製であり、また、更に、その外周部には、該外周部の内側部分よりも厚さが大きく、よって、剛性が高いフランジが形成されているので、該被覆部の形が大きく崩れてしまうことがない。そのため、従来例のような、取り付ける際に、足場カバーを一枚一枚、延ばしてから取り付けなければならないといった手間はかからず取り付け易い。
【００１７】
また、剛性が高いフランジに、係合部と被係合部とが形成されているので、係合部の一部を被係合部の一部に係合させた際には、係合部の他の部分もそれに追従して被係合部の他の部分に接近し、係合させ易い。よって、この点でも取り付け易い。
【図面の簡単な説明】
【００１８】
【図１】実施例の足場及び各足場カバーを示す斜視図である。
【図２】同実施例の足場及び各足場カバーを示す部分拡大正面図である。
【図３】同実施例の足場板及び足場板カバーを示す斜視図である。
【図４】同実施例の足場板及び足場板カバーを示す分解斜視図である
【図５】同実施例の足場板及び足場板カバーを示す平面図である。
【図６】同実施例の足場板及び足場板カバーを示す正面断面図である。
【図７】同実施例の足場板及び足場板カバーを示す側面断面図（端面図）である。
【図８】同実施例の支柱及び支柱カバーを示す斜視図である。
【図９】同実施例の支柱及び支柱カバーを示す分解斜視図である。
【図１０】同実施例の支柱及び支柱カバーを示す側面図である。
【図１１】同実施例の支柱及び支柱カバーの各断面を（ａ）（ｂ）（ｃ）に示す正面断面図である。
【図１２】同実施例の支柱及び支柱カバーの各断面を（ａ）（ｂ）（ｃ）に示す平面断面図である。
【図１３】同実施例の筋交及び筋交カバーを示す斜視図である。
【図１４】同実施例の筋交及び筋交カバーを示す分解斜視図である。
【図１５】同実施例の筋交及び筋交カバーを示す断面図である。
【図１６】変更例の足場板及び足場板カバーを示す斜視図である。
【発明を実施するための形態】
【実施例】
【００１９】
図１〜図１５に示す実施例には、作業現場に設けた足場の各部分に、各種足場カバーを取り付けた際の様子を示している。
【００２０】
まず、足場の構造について説明する。その足場は、複数の足場板１０，１０・・と、複数の支柱２０，２０・・と、複数の筋交３０，３０・・とを含み構成されている。
【００２１】
［足場板１０］
各足場板１０は、前後方向及び左右方向に延びる長方形状の板であって、左右方向の各端部には、後述する横架材２１に支持されるための複数本の被支持部１１，１１・・が左右方向に突設されている。
【００２２】
［支柱２０］
支柱２０，２０・・は、前後方向に２列で、左右方向に複数本並設されている。そして、各前後２本の支柱２０，２０の上部どうしは、前後方向に延びる横架材２１により連結されている。それによって、複数本の横架材２１，２１・・が左右方向に間隔をおいて並んでいる。その複数本の横架材２１，２１・・の各左右２本の間に２枚の足場板１０，１０が前後方向に並べて支持されている。また、各支柱２０は、その長さ方向中間部が各横架材２１の長さ方向中間部に補強材２２により連結されることにより、補強されている。その補強材２２の長さ方向中間部は前後方向に延びる横桟２３によって支柱２０に連結されている。そして、前後２本の支柱２０，２０をそれぞれ補強した補強材２２，２２の上部どうしは、横架材２１の下方にて前後方向に延びる連結材２４により連結されている。その連結材２４の長さ方向中間部は上下方向に延びる縦桟２５によって横架材２１の長さ方向中間部に連結されている。
【００２３】
［筋交３０］
筋交３０，３０・・は、左右方向に並設された複数本の支柱２０，２０・・の各２本の間に２本ずつ存在し、そのうちの一方で、左側の支柱の上部と右側の支柱の下部とを連結し、他方で、左側の支柱の下部と右側の支柱の上部とを連結することによって、該複数本の支柱２０，２０・・を補強している。
【００２４】
そして、以上に示した構造と同様の構造は、上方又は下方にも重ねて構築されている。
【００２５】
次に、以上に示した足場をカバーする各種足場カバーの構造について説明する。その足場カバーには、次に示す足場板カバー４０，４０・・と、支柱カバー６０，６０・・と、筋交カバー８０，８０・・とが存在する。
【００２６】
なお、以下でいう「前」「後」「左」「右」は、前列の足場板１０、支柱２０又は筋交３０を覆うものの場合は、前方から見た「前」「後」「左」「右」を意味し、後列の足場板１０、支柱２０又は筋交３０を覆うものの場合は、後方から見た「前」「後」「左」「右」を意味する。
【００２７】
［足場板カバー４０］
各足場板カバー４０は、足場板１０及びその周辺の横架材２１等をカバーするための足場カバーであって、足場板１０等を上方から覆う上側被覆部４１と、下方から覆う下側被覆部５１とを含み構成されている。
【００２８】
上側被覆部４１は、その左端部に、左側の横架材２１を上方から覆う左方突出部４２を備え、右端部に、右側の横架材２１を上方から覆う右方突出部４４を備えている。また、該上側被覆部４１は、その前端部が下方に垂下しており、その下端には、該下端から前方に突出する前辺側フランジ４６が、左右方向に長く形成されている。そして、左方突出部４２及び右方突出部４４の平面視での外周部分と、前辺側フランジ４６と、上側被覆部４１の後端部４８との各部（例えば、厚さ０．１５ｍｍ）は、それらよりも内方の上側被覆部４１の内側部分（例えば、厚さ０．０７ｍｍ）よりも厚さが大きく形成されたことによって、該内側部分よりも剛性が高くなっている。これらの各部を含む上側被覆部４１の全体は、ポリエステルで一体成形されており、該上側被覆部４１の全体又は大部分は、透明又は半透明になっている。その上側被覆部４１の上面には、細かい凹凸からなる滑り止めが形成されている。
【００２９】
左方突出部４２及び右方突出部４４は、その左右中間部が前方からみて上方に半円状に湾曲した形状をしている。そして、左方突出部４２の左右方向の各端部（外周部の一部）には、前後方向に間隔をおいて貫設された複数の嵌合孔４３，４３・・からなる被係合部が、前後方向に長く形成されている。また、右方突出部４４の左右方向の各端部（外周部の一部）には、前後方向に間隔をおいて凸設された複数の嵌合突起４５，４５・・からなる係合部が、前後方向に長く形成されている。また、前辺側フランジ４６には、左右方向に間隔をおいて貫設された複数の嵌合孔４７，４７・・からなる被係合部が、左右方向に長く形成されている。
【００３０】
下側被覆部５１は、その左辺に、該左辺から左方に突出する左辺側フランジ５２が前後方向に長く形成され、右辺に、該右辺から右方に突出する右辺側フランジ５４が、前後方向に長く形成されている。また、該下側被覆部５１は、その前端部が上方に起立しており、その上端には、該上端から前方に突出する前辺側フランジ５６が、左右方向に長く形成されている。そして、左辺側フランジ５２と、右辺側フランジ５４と、前辺側フランジ５６と、下側被覆部５１の後端部５８との各部（例えば、厚さ０．１５ｍｍ）は、それらよりも内方の下側被覆部５１の内側部分（例えば、厚さ０．０７ｍｍ）よりも厚さが大きく形成されたことによって、該内側部分よりも剛性が高くなっている。これらの各部を含む下側被覆部５１の全体は、ポリエステルで一体成形されており、該下側被覆部５１の全体又は大部分は、透明又は半透明になっている。
【００３１】
左辺側フランジ５２には、前後方向に間隔をおいて貫設された複数の嵌合孔５３，５３・・からなる被係合部が、前後方向に長く形成されている。また、右辺側フランジ５４にも、前後方向に間隔をおいて貫設された複数の嵌合孔５５，５５・・からなる被係合部が、前後方向に長く形成されている。また、前辺側フランジ５６の上面には、左右方向に間隔をおいて凸設された複数の嵌合突起５７，５７・・からなる係合部が、左右方向に長く形成されている。
【００３２】
［支柱カバー６０］
各支柱カバー６０は、支柱２０及びその周辺の補強材２２等をカバーするための足場カバーであって、支柱２０及び補強材２２等を左方から覆う左側被覆部６１と、右方から覆う右側被覆部７１とを含み構成されている。
【００３３】
左側被覆部６１は、その上端部に、該上端から左方に突出する上端左側フランジ６２が前後方向に長く形成されている。また、該左側被覆部６１は、その前端部が右方に屈曲しており、その右端部に、該右端部から前方に突出する支柱側フランジ６４が上下方向に長く形成されている。また、該左側被覆部６１は、その後端部も右方に屈曲しており、その右端部に、該右端部から後方又は下方に突出する補強材側フランジ６６が支柱２０及び補強材２２の後端部の輪郭に沿って上下方向に長く形成されている。そして、上端左側フランジ６２と、支柱側フランジ６４と、補強材側フランジ６６と、左側被覆部６１の下端部６８との各部（例えば、厚さ０．１５ｍｍ）は、それらよりも内方の左側被覆部６１の内側部分（例えば、厚さ０．０７ｍｍ）よりも厚さが大きく形成されたことによって、該内側部分よりも剛性が高くなっている。これらの各部を含む左側被覆部６１の全体は、ポリエステルで一体成形されており、該左側被覆部６１の全体又は大部分は、透明又は半透明になっている。
【００３４】
上端左側フランジ６２の上面には、前後方向に間隔をおいて凸設された複数の嵌合突起６３，６３・・からなる係合部が、前後方向に長く形成されている。また、支柱側フランジ６４には、上下方向に間隔をおいて貫設された複数の嵌合孔６５，６５・・からなる被係合部が、上下方向に長く形成されている。また、補強材側フランジ６６にも、該補強材側フランジ６６の長さ方向に間隔をおいて貫設された複数の嵌合孔６７，６７・・からなる被係合部が、該補強材側フランジ６６の長さ方向に長く形成されている。
【００３５】
右側被覆部７１は、一部を除いて、左側被覆部６１と左右方向に反転させて同様に構成されている。よって、該右側被覆部７１は、左側被覆部６１の上端左側フランジ６２を左右方向に反転させて同様の上端右側フランジ７２と、左側被覆部６１の支柱側フランジ６４を左右方向に反転させて同様の支柱側フランジ７４と、左側被覆部６１の補強材側フランジ６６を左右方向に反転させて同様の補強材側フランジ７６と、左側被覆部６１の下端部６８を左右方向に反転させて同様の下端部７８との各部を含み構成されている。これらの各部を含む右側被覆部７１の全体は、ポリエステルで一体成形されており、該右側被覆部７１の全体又は大部分は、透明又は半透明になっている。
【００３６】
そして、上端右側フランジ７２の上面には、左側被覆部６１を左右方向に反転させて同様、前後方向に間隔をおいて凸設された複数の嵌合突起７３，７３・・からなる係合部が前後方向に長く形成されている。また、支柱側フランジ７４には、左側被覆部６１とは違い、複数の嵌合孔からなる被係合部の代わりに、その左面に、上下方向に間隔をおいて凸設された複数の嵌合突起７５，７５・・からなる係合部が、上下方向に長く形成されている。また、補強材側フランジ７６にも、複数の嵌合孔からなる被係合部の代わりに、その左面に、該補強材側フランジ７６の長さ方向に間隔をおいて凸設された複数の嵌合突起７５，７５・・からなる係合部が、該補強材側フランジ７６の長さ方向に長く形成されている。
【００３７】
［筋交カバー８０］
各筋交カバー８０は、筋交３０をカバーするための足場カバーであって、筋交３０を相対する２方の径方向のうちの一方側から覆う一方の被覆部８１と、他方側から覆う他方の被覆部９１とを含み構成されている。
【００３８】
一方の被覆部８１は、筋交３０の長さ方向側からみて半円形の形状をしており、片方の端部は他方の被覆部９１の片方の端部に、該端部を軸に開閉可能に連結されており、もう片方の端部には、該端部から径方向の外方に突出するフランジ８２が、該筋交カバー８０の長さ方向に長く形成されている。そして、フランジ８２と、一方の被覆部８１のその長さ方向側の両側の端部８４，８４との各部（例えば、厚さ０．１５ｍｍ）は、それらよりも内方の一方の被覆部８１の内側部分（例えば、厚さ０．０７ｍｍ）よりも厚さが大きく形成されたことによって、該内側部分よりも剛性が高くなっている。これらの各部を含む一方の被覆部８１の全体は、ポリエステルで一体成形されており、該一方の被覆部８１の全体又は大部分は、透明又は半透明になっている。そして、フランジ８２には、該フランジ８２の長さ方向に間隔をおいて貫設された複数の嵌合孔８３，８３・・からなる被係合部が、該フランジ８２の長さ方向に長く形成されている。
【００３９】
他方の被覆部９１は、一部を除いて、一方の被覆部８１と径方向に反転させて同様に構成されている。よって、該他方の被覆部９１は、一方の被覆部８１のフランジ８２を径方向に反転させて同様のフランジ９２と、一方の被覆部８１の端部８４，８４を径方向に反転させて同様の端部９４，９４との各部を含み構成されている。これらの各部を含む他方の被覆部９１の全体は、ポリエステルで一体成形されており、該他方の被覆部９１の全体又は大部分は、透明又は半透明になっている。そして、フランジ９２には、一方の被覆部８１とは違い、複数の嵌合孔からなる被係合部の代わりに、一方の被覆部８１に対向する側の面に、該フランジ９２の長さ方向に間隔をおいて凸設された複数の嵌合突起７５，７５・・からなる係合部が、該フランジ９２の長さ方向に長く形成されている。
【００４０】
以上に示した足場板カバー４０、支柱カバー６０及び筋交カバー８０の各種足場カバーを足場に取り付ける際の様子を、｛１｝足場板カバー４０の取り付け、｛２｝支柱カバー６０の取り付け、｛３｝筋交カバー８０の取り付け  の順に以下に説明する。
【００４１】
｛１｝足場板カバー４０の取り付け
足場板カバー４０は、左側から右側に順に取り付ける。よって、左端以外の各足場板１０に足場板カバー４０を取り付けるとき、その足場板１０の左側の足場板１０には、既に別の足場板カバー４０が取り付けられている。そして、このとき、まず、足場板１０の上方に上側被覆部４１を被せるとともに、その左方突出部４２を、左側の足場板カバー４０の右方突出部４４の上方に被せ、左方突出部４２の嵌合孔４３に左側の足場板カバー４０の嵌合突起４５を嵌合させる。そして、次に、足場板１０の下方に下側被覆部５１をあてがうとともに、その前辺側フランジ５６を、上側被覆部４１の前辺側フランジ４６の下方にあてがい、上側被覆部４１の嵌合孔４７に該下側被覆部５１の嵌合突起５７を嵌合させる。
【００４２】
｛２｝支柱カバー６０の取り付け
支柱２０及び補強材２２等の左側に左側被覆部６１をあてがい、右側に右側被覆部７１をあてがう。そして、左側被覆部６１の支柱側フランジ６４に、右側被覆板７１の支柱側フランジ７４をあてがい、左側被覆部６１の嵌合孔６５に右側被覆板７１の嵌合突起７５を嵌合させる。また、左側被覆部６１の補強材側フランジ６６に、右側被覆部７１の補強材側フランジ７６をあてがい、左側被覆部６１の嵌合孔６７に右側被覆部７１の嵌合突起７７を嵌合させる。
【００４３】
このとき、支柱カバー６０に筋交３０が干渉する場合には、該支柱カバー６０に適宜、該筋交３０を通すための孔又は切欠を設ける。また、該支柱カバー６０は、支柱２０よりも下方に長くなっており、カバーする支柱２０が最下段のものである場合には、該長い分だけ切って使用する。また、カバーする支柱２０が最下段のもの以外のものである場合には、該支柱２０の下方に繋ぎ合わされた支柱の上部も同時に覆うようにし、このとき、該支柱カバー６０に、該下方の支柱に結合された横架材等が干渉する場合には、該支柱カバー６０に適宜、該横架材等を通すための孔又は切欠を設ける。
【００４４】
そして、次に、該取り付けた支柱カバー６０の左上方にある足場板カバー４０の右辺側フランジ５４の下方に、上端左側フランジ６２をあてがい、左上方の足場板カバー４０の嵌合孔５５に上端左側フランジ６２の嵌合突起６３を嵌合させる。また、右上方にある足場板カバー４０の左辺側フランジ５２の下方に、上端右側フランジ７２をあてがい、右上方の足場板カバー４０の嵌合孔５３に上端右側フランジ７２の嵌合突起７３を嵌合させる。
【００４５】
｛３｝筋交カバー８０の取り付け
筋交３０のその径方向一方側に一方の被覆部８１をあてがい、筋交３０のその径方向他方側に他方の被覆部９１をあてがう。そして、一方の被覆部８１のフランジ８２に、他方の被覆部９１のフランジ９２をあてがい、一方の被覆部８１の嵌合孔８３に他方の被覆部９１の嵌合突起９３を嵌合させる。
【００４６】
本実施例によれば、次の［Ａ］〜［Ｃ］の効果を得ることができる。
【００４７】
［Ａ］足場板カバー４０、支柱カバー６０及び筋交カバー８０の各足場カバーは、足場板１０、支柱２０及び筋交３０をそれぞれ相反する２方向側から覆う一対の被覆部を備えているので、片面だけでなく両面も覆うことができ、よって、両面とも汚れる心配がない。
【００４８】
［Ｂ］各足場カバー４０，６０，８０はポリエステル製であり、また、更に、その外周部の少なくとも一部分には、該外周部の内側部分よりも剛性が高いフランジが該外周部の長さ方向に長く形成されているので、それら足場カバー４０，６０，８０の形が大きく崩れてしまうことがない。そのため、従来例のような、取り付ける際に、一枚一枚、延ばしてから取り付けなければならないといった手間はかからず取り付け易い。
【００４９】
［Ｃ］剛性が高いフランジに、係合部と被係合部とが該フランジの長さ方向に長く形成されているので、係合部の一部を被係合部の一部に係合させた際には、係合部の他の部分もそれに追従して被係合部の他の部分に接近し、係合させ易い。よって、この点でも取り付け易い。
【００５０】
なお、本発明は上記実施例に限定されるものではなく、発明の趣旨を逸脱しない範囲で各部の構成や形状を任意に変更して実施することもでき、例えば、次の変更例１〜６のようにしてもよい。
【００５１】
［変更例１］
複数の嵌合突起を、該複数の嵌合突起の並設方向に延びる一本の突条に代え、複数の嵌合孔を、該複数の嵌合孔の並設方向に延びる一本の嵌合溝に代えること。
【００５２】
［変更例２］
足場板が左右方向に長い場合等には、図１６に示すように２つに分離されて成形された２つの成形物４９，４９を繋ぎ合わせて上側被覆部４１を形成すること。また、同様に、２つの成形物を繋ぎ合わせて下側被覆部５１を形成すること。
【００５３】
［変更例３］
筋交カバー８０の一方の被覆部８１と他方の被覆部９１とを、一体成形すること。
【００５４】
［変更例４］
各足場カバー４０，６０，８０を、実施例とは左右反対に形成すること。
【００５５】
［変更例５］
上側被覆部４１の前辺側フランジ４６の下面に嵌合突起を設け、下側被覆部５１の前辺側フランジ５６に嵌合孔を設けること。
【００５６】
［変更例６］
下側被覆部５１の左辺側フランジ５２及び右辺側フランジ５４の下面に嵌合突起を設け、支柱カバー６０の上端左側フランジ６２及び上端右側フランジ７２に嵌合孔を設けること。
【符号の説明】
【００５７】
１０    足場板
２０    支柱
３０    筋交
４０    足場板カバー（足場カバー）
４１    上側被覆部
４６    前辺側フランジ
４７    嵌合孔（被係合部）
５１    下側被覆部
５６    前辺側フランジ
５７    嵌合突起（係合部）
６０    支柱カバー（足場カバー）
６１    左側被覆部
６４    支柱側フランジ
６５    嵌合孔（被係合部）
６６    補強材側フランジ
６７    嵌合孔（被係合部）
７１    右側被覆部
７４    支柱側フランジ
７５    嵌合突起（係合部）
７６    補強材側フランジ
７７    嵌合突起（係合部）
８０    筋交カバー（足場カバー）
８１    一方の被覆部
８２    フランジ
８３    嵌合孔（被係合部）
９１    他方の被覆部
９２    フランジ
９３    嵌合突起（係合部）
【図１】
2010275774.tif 000003
【図２】
2010275774.tif 000004
【図３】
2010275774.tif 000005
【図４】
2010275774.tif 000006
【図５】
2010275774.tif 000007
【図６】
2010275774.tif 000008
【図７】
2010275774.tif 000009
【図８】
2010275774.tif 000010
【図９】
2010275774.tif 000011
【図１０】
2010275774.tif 000012
【図１１】
2010275774.tif 000013
【図１２】
2010275774.tif 000014
【図１３】
2010275774.tif 000015
【図１４】
2010275774.tif 000016
【図１５】
2010275774.tif 000017
【図１６】
2010275774.tif 000018